【手続補正書】
【提出日】平成19年6月4日(2007.6.4)
【手続補正１】
【補正対象書類名】明細書
【補正対象項目名】特許請求の範囲
【補正方法】変更
【補正の内容】
【特許請求の範囲】
【請求項１】  複数のデータ源からの文書データをユーザコンピュータのディスプレイ上に表示させるための座標を含むテンプレートを作成する方法であって、上記文書及び各データ文書は少なくとも１つのセグメントを含み、上記方法は、
ａ）上記複数のデータ源から選択された、上記１つまたはそれ以上の文書を検索し、
ｂ）上記検索されたデータ文書をセグメントにパーズし、該パーズされたセグメントを複数のコンテナの対応するセグメントに挿入し、
ｃ）上記検索された文書をある形状で表示し、ユーザが上記パーズされたセグメントのそれぞれを対応するコンテナの始まり及び終わりに従ってマークするのを許容し、
ｄ）上記被マークセグメントから選択し、上記選択された被マークセグメントからなるディスプレイビューを形成するステップと、
ｅ）上記選択された被マークセグメントの上記対応するコンテナの座標を、上記ディスプレイビューを表現する上記テンプレート内に配置するステップと、
を含むことを特徴とする方法。
【請求項２】  上記１つまたはそれ以上の文書は、上記複数のデータ源から選択されたデータ源から検索されることを特徴とする請求項１に記載の方法。
【請求項３】  上記１つまたはそれ以上の文書は、上記１つまたはそれ以上の文書に組合わされているキーワードに従って検索されることを特徴とする請求項１に記載の方法。
【請求項４】  １つまたはそれ以上の上記文書が、同時に検索されることを特徴とする請求項１に記載の方法。
【請求項５】  もし上記コンテナが埋込み型論理、フレーム、及び上記１つまたはそれ以上の文書のさらなる文書を指すポインタを含んでいれば、上記埋込み型論理、フレーム、及び上記さらなる文書は上記コンテナの一部として検索され、パーズされることを特徴とする請求項１に記載の方法。
【請求項６】  少なくとも１つの上記コンテナが上記コンテナの内の他のコンテナ内にネストされており、これによって、上記マークされたセグメントのより多くが上記ステップ（ｃ）において表示されることを特徴とする請求項５に記載の方法。
【請求項７】  上記テンプレートが複数のセルを含むように構成されており、上記コンテナのひとつからの座標を上記複数のセルの対応する一つのセルに格納し、ユーザが複数の上記セルを定義するのを許容して、複数の上記選択された被マークセグメントを表現するようになっていることを特徴とする請求項１に記載の方法。
【請求項８】  上記複数のセルが１つのアレイの中に配置されており、ユーザがさらに上記アレイに形状を定義するのが許容されており、上記ディスプレイビューに対する上記選択された被マークセグメントを受入れるようになっていることを特徴とする請求項７に記載の方法。
【請求項９】  上記アレイの上記複数のセルのそれぞれは、上記選択された被マークセグメントの属性を受入れるように、形状及びサイズを動的に変化させることを特徴とする請求項８に記載の方法。
【請求項１０】  それぞれのセグメントに対し、該セグメントに関係するデータの上記データ源の一つのアドレスを定義する座標と、上記セグメントに関係する上記一つ以上の文書の一つの始まりから上記セグメントに対する上記コンテナの始まりまでの第１の距離が与えられていることを特徴とする請求項１に記載の方法。
【請求項１１】  上記ステップ（ｄ）は、上記選択された被マークセグメントに対応する所望のコンテナのリストをコンパイルするステップからなることを特徴とする請求項１に記載の方法。
【請求項１２】  ユーザコンピュータのディスプレイ上に複数のデータ源からの文書を表示するための座標を含むテンプレートを作成する方法であって、上記文書データが少なくとも１つのデータ文書を含み、上記データ文書は少なくとも１つのデータセグメントを含み、上記方法は、
ａ）上記複数のデータ源から選択された、１つまたはそれ以上の上記文書を検索し、
ｂ）上記検索されたデータ文書をセグメントにパーズし、該パーズされたセグメントを複数のコンテナの対応するセグメントに挿入し、
ｃ）上記検索された文書をある形状で表示し、ユーザが上記パーズされたセグメントのそれぞれを対応するコンテナの始まり及び終わりに従ってマークするのを許容し、
ｄ）上記被マークセグメントから選択し、上記選択された被マークセグメントからなるディスプレイビューを形成するステップと、
ｅ）上記テンプレートを構築して複数のセルを収容し、そして、
ｆ）上記選択された被マークセグメントの一つ以上の上記対応するコンテナの座標を上記テンプレート内において、上記ディスプレイビューを表現する、上記複数のセルの対応するセルに格納するステップと、
を含むことを特徴とする方法。
【請求項１３】  もし１つより多くの上記コンテナが上記各セル内に入力された場合には、上記入力された各データコンテナはユーザの好みに従って表示できることを特徴とする請求項１２に記載の方法。
【請求項１４】  もし上記選択された被マークセグメントがビデオであれば、上記セグメントは、予め定義されている開始及び終了時間パラメータに従って表示されることを特徴とする請求項１２に記載の方法。
【請求項１５】  上記各データ源は、ネットワークに接続され、かつネットワークアドレスを有する１つまたはそれ以上のコンピュータデバイスを備えており、上記１つまたはそれ以上のコンピュータデバイスは上記文書を格納していることを特徴とする請求項１２に記載の方法。
【請求項１６】  ｇ）上記アレイ表現を含む上記テンプレートを保管するステップと、
ｈ）上記表現テンプレートを少なくとも１つのユーザに分配するステップと、を更に含むことを特徴とする請求項１２に記載の方法。
【請求項１７】  １つまたはそれ以上の文書からの１つまたはそれ以上のセグメントからなるディスプレイビューを、コンピュータのディスプレイ上に表示させる方法であって、
ａ）テンプレートから、上記ディスプレイビューのアレイ表現及び上記１つまたはそれ以上の座標を復元するステップと、
ｂ）上記復元された各位置毎に、上記１つまたはそれ以上の各文書を検索するステップと、
ｃ）上記１つまたはそれ以上の各文書をパーズし、上記第１の距離毎に、上記１つまたはそれ以上のセグメントを再収集するステップと、
ｄ）上記ディスプレイビューを表示するステップと、
を含むことを特徴とする方法。
【請求項１８】  上記座標は、上記１つまたはそれ以上の文書の位置と、上記１つまたはそれ以上の文書の１つの始まりから上記１つまたはそれ以上のセグメントの始まりまでの第１の距離とからなることを特徴とする請求項１７に記載の方法。
【請求項１９】  上記位置は、ネットワークに接続されている１つまたはそれ以上のコンピュータデバイスのアドレスであり、上記１つまたはそれ以上のコンピュータデバイスは上記文書を格納していることを特徴とする請求項１８に記載の方法。
【請求項２０】  上記１つまたはそれ以上のセグメントは上記アレイ表現のセル内に位置決めされ、上記セルはディスプレイ画面位置を表していることを特徴とする請求項１７に記載の方法。
【請求項２１】  上記ステップ（ｃ）は、上記検索された各文書をパーズし、上記１つまたはそれ以上の文書の１つの始まりから上記１つまたはそれ以上のセグメントの始まりまでの第２の距離を形成するステップを更に含むことを特徴とする請求項１７に記載の方法。
【請求項２２】  もし上記第１の距離が上記第２の距離と一致しなければ、上記セグメントは表示されないことを特徴とする請求項２１に記載の方法。
【請求項２３】  複数のポインタを格納するデータファイルを構築する方法であって、上記各ポインタは、複数のデータ源の対応する１つから導出された文書データから取出されたデータセグメントに関係し、上記文書データはデータ内容要素及びデータ区切り要素の順序付けられたシーケンスからなり、データコンテナは少なくとも１つのデータ内容要素及び上記文書データ内の上記１つのデータ内容の前及び後にそれぞれ配置されている始まり及び終わり区切り要素を含み、データ文書は上記データセグメントの１つまたはそれ以上を含み、上記データセグメントは１つまたはそれ以上のデータコンテナを構成し、上記各ポインタはそのデータ源のアドレス及び上記データセグメント内のそのデータセグメントの相対位置を位置付ける座標を含み、上記方法は、
ａ）上記データ文書の少なくとも１つを、対応する１つのデータ源から選択してダウンロードするステップと、
ｂ）上記ダウンロードされたデータ文書の上記各データ要素を検査するステップと、
を含み、
上記検査ステップは、
１）上記文書データの上記始まり区切り要素を識別するサブステップと、
２）上記ダウンロードされたデータ文書から、上記データセグメントの少なくとも１つを選択するサブステップと、
３）上記選択されたデータセグメントの上記文書データ内の上記データコンテナの第１のデータコンテナの上記始まり区切り要素を識別するサブステップと、
４）少なくとも部分的に、上記選択されたデータセグメントの上記座標を、上記識別された第１の始まり区切り要素の表現で定義するサブステップと
を含み、
上記方法は、更に、
ｃ）上記データファイル内に、上記選択されたデータセグメントの上記定義された座標、及び上記ダウンロードされた、上記選択されたデータセグメントに関係する文書及びその選択されたデータセグメントを取出した上記１つのデータ源の上記アドレスを挿入するステップ、
を含むことを特徴とする方法。
【請求項２４】  第１及び第２のデータコンテナが上記文書データ内にネストされた関係で埋込まれ、上記第１のコンテナの上記始まり及び終わり区切り要素はそれぞれそのネストされた第１及び第２のコンテナの開始点及びその終了点を定義し、上記方法は、上記第１のデータコンテナの上記終わり区切り要素を上記選択されたデータセグメントの終了点として使用するステップを含み、上記識別サブステップ３）は上記第１のコンテナの上記始まり区切り要素を識別し、それによって上記第１のコンテナの上記対応する終わり区切り要素が上記第１及び第２のコンテナを包み込み、上記選択されたデータセグメントが上記第１及び第２のデータコンテナを含むことを特徴とする請求項２３に記載のデータファイル構築方法。
【請求項２５】  上記選択されたデータセグメントは第１及び第２のデータコンテナを含み、上記第１のデータコンテナは第１のレベルに配置され、上記第２のデータコンテナは上記第１のレベルより低い第２のレベルに配置されることを特徴とする請求項２４に記載のデータファイル構築方法。
【請求項２６】  上記識別ステップ３）は上記文書データ内の上記第２のデータコンテナの上記開始区切り要素を識別し、それによって対応する第２のデータセグメントが選択され、上記第２のデータセグメントは上記第２のデータコンテナを含むことを特徴とする請求項２５に記載のデータファイル構築方法。
【請求項２７】  少なくとも１つのポインタを格納するデータファイルを構築する方法であって、上記ポインタは複数のデータ源の選択された１つから検索された文書の文書データを含むデータセグメントを識別し、上記文書データはデータ内容要素及びデータ区切り要素の順序付けられたシーケンスからなり、複数のデータコンテナは各々少なくとも１つのデータ内容要素、及び上記１つのデータ内容の前及び後にそれぞれ配置されている始まり及び終わり区切り要素を含み、データ文書は上記データセグメントの１つまたはそれ以上を含み、上記データセグメントは１つまたはそれ以上のデータコンテナを構成し、上記各ポインタはその選択されたデータ源のアドレス及び上記データ文書内の上記１つのデータセグメントの相対位置を位置付ける座標を含み、上記方法は、
ａ）上記少なくとも１つのデータ文書を、その１つのデータ源から選択して検索するステップと、
ｂ）上記検索されたデータ文書の上記文書データを、少なくとも１つの上記データコンテナ内へパーズするステップと、
ｃ）上記文書を表示するステップと、
ｄ）上記文書上に、上記データセグメントの１つ内に最初に出現するデータコンテナの上記始まり区切り要素に従って、上記文書を上記少なくとも１つのデータセグメントに分割する少なくとも１つのディスプレイ線を重畳するステップと、
ｅ）部分的に、上記１つのデータセグメントの上記座標を、上記最初に出現するデータコンテナの表現で定義するステップと、
ｆ）上記データファイル内に、上記１つのデータセグメントの上記定義された座標、及び上記ダウンロードされた文書及びその上記１つのデータセグメントを取出した上記選択された１つのデータ源の上記アドレスを挿入するステップと、
を含むことを特徴とする方法。
【請求項２８】  第１及び第２のデータセグメントが存在し、上記第１及び第２の各データセグメントはそれぞれデータコンテナを構成し、上記方法は、上記複数のデータセグメントの１つを選択するステップを含み、上記重畳ステップｄ）は、上記第１及び第２の各データセグメントの上記最初に出現するデータコンテナの上記始まり区切り要素に従って、第１及び第２の線を重畳して上記文書を分割することを特徴とする請求項２７に記載のデータファイル構築方法。
【請求項２９】  文書を表す文書データが検索されたデータ源を識別するポインタ、及び上記文書のデータセグメントを格納するメモリを備えているデータファイルを使用する方法であって、上記ポインタは、上記データ源のＩＤ及び上記データセグメントのその文書内の相対位置を指定する座標からなり、上記文書データはデータ内容要素及びデータ区切り要素の順序付けられたシーケンスからなり、複数のデータコンテナは各々の上記データコンテナが少なくとも１つのデータ内容要素及び上記１つのデータ内容の前及び後にそれぞれ配置されている始まり及び終わり区切り要素を含み、上記データ文書は上記データセグメントの１つまたはそれ以上を含み、上記データセグメントは１つまたはそれ以上のデータコンテナを構成し、上記方法は、
ａ）上記データファイルを、少なくとも１つのユーザに分配するステップと、
ｂ）上記ＩＤ及び上記ポインタを使用して、上記ＩＤに対応する上記データ源、及び上記座標によって識別された上記データセグメントにアクセスし、それらから検索するステップと、
ｃ）上記検索されたデータセグメントの少なくとも１つの現在のデータ内容要素を表示するステップと、
を含むことを特徴とする方法。